(57)【要約】【課題】構成が簡単であり、かつ、確実な接点部の接触が得られ、さらに、操作性も良好である回転接点装置を提供すること。【解決手段】この回転接点装置１は、回転操作される回転ダイヤル１６と回転ダイヤル１５を支持する外装カバー１１と、電気基板１３に回転自在に支持され、回転ダイヤル１６により回転操作される接片台１４と、接片台１４に保持される電気接片１５と、電気接片１５の接点部が摺接する銅箔パターンを有する電気基板１３と、電気基板１３が固定される基板台１２とを有してなり、接片台１４には、電気基板１３に向けて突出する凸状部１４ｅが設けられている。位置ずれや接触圧等により接片台１４を傾かせるような力が接片台１４に作用したとしても、凸状部１４ｅが電気基板１３に当接することで接片台１４の平行状態が保持される。【選択図】    図２
2004311072.tif 000002
【特許請求の範囲】
【請求項１】
回転して摺動する複数の接点部を有する電気接片と、
上記電気接片の上記複数の接点部と摺接するパターンを有する電気基板と、
上記電気接片を保持し、上記複数の接点部を上記パターンに摺接させて回転する接片台と、
上記接片台を上記電気基板と略平行に保つため平行保持手段と、
を有することを特徴とする回転接点装置。
【請求項２】
上記平行保持手段は、上記接片台から上記電気基板に向かって延びる凸状部を有してなり、その凸状部の先端は、上記電気基板の上記パターン上を移動することを特徴とする請求項１記載の回転接点装置。
【請求項３】
さらに、回転ダイアルと、
上記回転ダイアルを回転可能に支持する回転支持部材と、
を有し、上記平行保持手段は、上記接片台から上記回転支持部材に向かって延びる凸状部を有してなり、その凸状部の先端は、上記回転支持部材の表面上を移動することを特徴とする請求項１記載の回転接点装置。
【請求項４】
さらに、回転ダイアルと、
上記回転ダイアルを回転可能に支持する回転支持部材と、
を有し、上記平行保持手段は、上記回転支持部材から上記接片台に向かって延びる凸状部を有してなり、その凸状部の先端は、上記接片台の表面と対向していることを特徴とする請求項１記載の回転接点装置。
【発明の詳細な説明】
【０００１】
【発明の属する技術分野】
本発明は、回転操作により電気基板上を摺接する接点部を有する回転接点装置に関する。
【０００２】
【従来の技術】
従来、小型電子機器においては、回転操作により信号を出力する各種の回転接点装置が多用されている。その従来の回転接点装置の一つとして図６の分解斜視図および図７の縦断面図に示すような構造を有するものがある。
【０００３】
図６，７に示す従来の回転接点装置１０１は、回転ダイヤル１１６を回転操作することによりその回転位置に対する出力信号が得られるエンコーダ装置であり、回転ダイヤル１１６と、回転ダイヤル１１６が装着される外装カバー１１１と、接片台１１４に保持される電気接片１１５と、電気接片１１５が摺接する銅箔パターンを有する電気基板１１３と、電気基板１１３が固定される基板台１１２とを有してなる。
【０００４】
電気基板１１３は、回転ダイヤル１１６の回転中心から放射状に形成された銅箔パターンからなる複数のスイッチ接点パターン１１３ｂと該スイッチ接点パターン１１３ｂの内側に形成される１つの環状のコモンパターン１１３ｃを有し、また、コモンパターン１１３ｃの中央部に接片台軸支穴１１３ａが配置されている。この電気基板１１３は、基板台１１２の位置決めピン１１２ｂにピン穴１１３ｅ，１１３ｆを挿入して、ビス挿通穴１１３ｇに挿通させたビス１１８をネジ穴１１２ｃに螺着させて、基板台１１２上に位置決め固定される。なお、コモンパターン１１３ｃには、スルーホール１１３ｄが形成されている。
【０００５】
接片台１１４は、その中央部上下に突出する軸部１１４ａを有しており、その軸部の下方部にはすり割り付き段部１１４ｂが形成され、軸部の上方突出部にはすり割り１１４ｃが付されている。
【０００６】
電気接片１１５は、上下方向に弾性変形可能な接点ブラシ１１５ｂとコモンブラシ１１５ｃとを有している。そして、この電気接片１１５は、接片台１１４の下面側にピン１１４ｄ，１１４ｆにピン穴１１５ａを挿通させて位置決め後、溶着し、固定される。
【０００７】
電気接片が固定された接片台１１４は、軸部１１４ａの段部１１４ｂを電気基板１１３の軸支穴１１３ａに嵌入させて上方への抜け出しを規制した状態で電気基板１１３に回転自在に取り付けられる。接片台１１４の電気基板１１３への取り付け状態では、接点ブラシ１１５ｂとコモンブラシ１１５ｃとは、それぞれスイッチ接点パターン１１３ｂとコモンパターン１１３ｃとに摺接可能な状態で当接する。
【０００８】
一方、回転ダイヤル１１６は、軸部１１６ａを有しており、外装カバー１１１上面側の軸支部１１１ａに軸部１１６ａを挿入し、止め輪１１７で軸方向を規制した状態として外装カバー１１１に回転可能状態で取り付けられる。この組み付け状態で、回転ダイヤル１１６の軸部１１６ａの所定幅の先端突起部１１６ｂは、電気基板１１３に装着されている接片台１１４の軸部１１４ａの上方突出部のすり割部１１４ｃに嵌入する。したがって、接片台１１４は、回転ダイヤル１１６と一体的に回転可能である。
【０００９】
上述した構成を有する従来の回転接点装置１０１において、回転ダイヤル１１６を回転操作すると、電気接片１１５の接点ブラシ１１５ｂとコモンブラシ１１５ｃとがそれぞれ電気基板１１３のスイッチ接点パターン１１３ｂとコモンパターン１１３ｃ上を摺動し、電気基板１１３の出力ラインより回転ダイヤル１１６の回転位置に対応したスイッチ信号が出力される。
【００１０】
ところが、従来の回転接点装置１０１では、基板台１１２と回転ダイヤルを有する外装カバー１１１とは、別途に組み立てられることから図７に示すように基板台１１２の軸支部１１１ａと外装カバー１１１側の電気基板１１３の軸穴１１３ａとに僅かな位置ずれδが生じる可能性がある。その位置ずれにより接片台１１４が電気基板１１３に対して傾斜する（図７にて傾斜角度θで示す）。
【００１１】
また、電気接片１１５の接点ブラシ１１５ｂとコモンブラシ１１５ｃとが接片台軸心から異なる距離にあるのでブラシ接触圧によるモーメントに差が生じ、接片台１１４が電気基板１１３に対して傾斜する可能性もある（図７にて傾斜角度θで示す）。
【００１２】
上述のように接片台１１４が電気基板１１３に対して傾斜した状態では、接点部にチャタリングが発生したり、接触不良が生じる可能があり、安定したスイッチング信号が得られない。また、回転ダイヤル１１６の操作性も悪くなる。
【００１３】
そこで、上述の問題点を解決するものとして実開昭６３−２０３３４号公報に開示された回転式接点切り換え装置は、アンバランスとなる接点用ブラシに対してダミーとなるブラシを付加し、ブラシ間の接触圧のバランスを取ることによって接片台である摺動リングの傾きを防止し、接点部のチャタリング、接触不良の発生をなくし、かつ、操作性を向上させるようにしたものである。
【００１４】
また、特開平７−２４５０４０号公報に開示された回転式スイッチは、上記一体化された電気接片に対して接点毎に独立した押圧バネ有する可動接点を適用したものである。この回転式スイッチによると、それぞれの可動接点が安定した状態で固定接点に接触するので接点部のチャタリング、接触不良等の発生が少なくなる。
【００１５】
【発明が解決しようとする課題】
しかし、上述した実開昭６３−２０３３４号公報に開示された回転式接点切り換え装置、および、特開平７−２４５０４０号公報に開示された回転式スイッチにおいては、接点部の構成が複雑化し、スイッチ部の占有スペ−スが増え、さらに、構成部品点数が増えることからコストアップにつながる。
【００１６】
本発明は、上述の問題を解決するためになされたものであり、構成が簡単であり、かつ、確実な接点部の接触が得られ、さらに、操作性も良好である回転接点装置を提供することを目的とする。
【００１７】
【課題を解決するための手段】
本発明の請求項１記載の回転接点装置は、回転して摺動する複数の接点部を有する電気接片と、上記電気接片の上記複数の接点部と摺接するパターンを有する電気基板と、上記電気接片を保持し、上記複数の接点部を上記パターンに摺接させて回転する接片台と、上記接片台を上記電気基板と略平行に保つため平行保持手段とを有しており、上記電気接片は、上記電気基板に平行に保たれた状態で電気基板上を摺動移動される。
【００１８】
本発明の請求項２記載の回転接点装置は、請求項１記載の回転接点装置において、上記平行保持手段は、上記接片台から上記電気基板に向かって延びる凸状部を有してなり、その凸状部の先端は、上記電気基板の上記パターン上を移動する。
【００１９】
本発明の請求項３記載の回転接点装置は、請求項１記載の回転接点装置において、さらに、回転ダイアルと、上記回転ダイアルを回転可能に支持する回転支持部材とを有し、上記平行保持手段は、上記接片台から上記回転支持部材に向かって延びる凸状部を有してなり、その凸状部の先端は、上記回転支持部材の表面上を移動する。
【００２０】
本発明の請求項４記載の回転接点装置は、請求項１記載の回転接点装置において、さらに、回転ダイアルと、上記回転ダイアルを回転可能に支持する回転支持部材とを有し、上記平行保持手段は、上記回転支持部材から上記接片台に向かって延びる凸状部を有してなり、その凸状部の先端は、上記接片台の表面と対向している。
【００２１】
【発明の実施の形態】
以下、本発明の実施の形態を図に基づいて説明する。
図１は、本発明の第１の実施形態としての回転接点装置の分解斜視図である。図２は、上記回転接点装置の縦断面図である。
【００２２】
本実施形態の回転接点装置１は、回転ダイヤル１６を回転操作することによりその回転位置に対する出力信号が得られるエンコーダ装置であり、回転ダイヤル１６と、回転支持部材としての外装カバー１１と、接片台１４と、接片台１４に保持される電気接片１５と、電気接片１５の接点部が摺接する銅箔パターンを有する電気基板１３と、電気基板１３が固定される基板台１２とを有してなる。
【００２３】
電気基板１３は、回転ダイヤル１６の回転中心から放射状に形成された銅箔パターンからなる複数のスイッチ接点パターン１３ｂとスイッチ接点パターン１３ｂの内側に形成される１つの環状のコモンパターン１３ｃを有し、また、コモンパターン１３ｃの中央部に接片台軸支穴１３ａが配置されている。この電気基板１３は、基板台１２の位置決めピン１２ｂをピン穴１３ｅ，長穴１３ｆを挿入し、ビス挿通穴１３ｇに挿通させたビス１８をネジ穴１２ｃに螺着させて基板台１２上に位置決め、固定される。なお、コモンパターン１３ｃの一部には、スルーホール１３ｄが形成されている。
【００２４】
接片台１４は、その中央部上下に突出する軸部１４ａと、周辺部３箇所に下方の電気基板１５に向けて軸部１４ａと平行に延びる平行保持手段として所定の長さｄ′の３つの凸状部１４ｅ（図上には、２つのみ表示されている）を有している。その軸部１４ａの下方部には、すり割り付き段部１４ｂが形成され、さらに、軸部１４ａの上方突出部には、すり割り１４ｃが形成されている。
【００２５】
電気接片１５は、上下方向に弾性変形可能な複数の接点部を形成する接点ブラシ１５ｂとコモンブラシ１５ｃとを有している。そして、この電気接片１５は、接片台１４の下面側にピン１４ｄ，１４ｆをピン穴１５ａに挿通させて位置決め後、溶着により密着固定される。
【００２６】
電気接片１５が固着された接片台１４は、軸部１４ａの段部１４ｂを電気基板１３の軸支穴１３ａに嵌入して上方へ抜け止めされた状態で電気基板１３に回転自在に支持される。
【００２７】
支持状態で電気接片１５の接点ブラシ１５ｂとコモンブラシ１５ｃとは、それぞれ電気基板１３のスイッチ接点パターン１３ｂとコモンパターン１３ｃに対して所定の接触圧で当接し、摺接可能である。接片台１４は、ブラシ１５ｂ，１５ｃの圧力を受けて上方に付勢され、かつ、接片台１４の凸状部１４ｅの先端部が電気基板１３の上面上を移動可能な状態で支持される。その支持状態で接片台１４は、電気基板１３に対して間隔ｄを保持しているが、凸状部１４ｅの長さｄ′は、間隔ｄに対して僅かな隙間分だけ短い寸法に設定されている。従って、接片台１４は、後述するように接片台１４を傾けるような力が作用したとしても常に電気基板１３に対して略間隔ｄの平行状態が維持される。
【００２８】
回転ダイヤル１６は、結合軸部１６ａを有しており、外装カバー１１上面側の軸支持部材である軸支部１１ａに結合軸部１６ａを挿入し、止め輪１７で軸方向位置が規制された状態で外装カバー１１に回転自在に取り付けられる。上記取り付け状態では、回転ダイヤル１６の結合軸部１６ａの所定幅の先端突起部１６ｂが接片台１４の軸部１４ａの上方突出部のすり割部１４ｃに嵌入する。したがって、接片台１４は、回転ダイヤル１６と一体で回転可能となる。なお、回転ダイヤル１６のツマミ部表面には、スイッチング信号出力に対応した回転位置を示す標識１６ｃが付されている。
【００２９】
上述した構成を有する回転接点装置１において、回転ダイヤル１６を回転操作すると、電気接片１５の接点ブラシ１５ｂとコモンブラシ１５ｃとがそれぞれ電気基板１３のスイッチ接点パターン１３ｂとコモンパターン１３ｃ上を所定の接触圧で圧接して摺動し、電気基板１３の出力ラインより回転ダイヤル１６の回転位置に対応したスイッチ信号が出力される。
【００３０】
この回転接点装置１では、外装カバー１１の軸支持部１１ａと基板台１２に固定される電気基板１３の軸支穴１３ａとに僅かな位置ずれがある場合やブラシ接触圧によるモーメントの偏り（ブラシ１５ｂ，１５ｃの軸部１４ａとの離間距離の差による）がある場合等、接片台１４に対して傾く力が作用することが考えられる。しかし、接片台１４の凸状部１４ｅの先端部が電気基板１３に当接することにより接片台１４と電気基板１３との略平行な状態が保持される。なお、軸支持部１１ａと軸支穴１３ａとの間に上述のような組み立て上の僅かな位置ずれがあったとしても回転ダイヤル１６の先端突起部１６ｂと接片台１４の上方突出部のすり割部１４ｃとの嵌合長が僅かであることから特に回転伝達の不具合は生じない。また、凸状部１４ｅが摺接する電気基板１３の表面部分には、オーバーレイが施されおり、凸状部１４ｅの摺接に対して保護される。なお、接片台１４の材料としてポリアセタール樹脂等の潤滑性のよい合成樹脂を用いるとよい。
【００３１】
上述したように本実施形態の回転接点装置１によれば、接片台１４に設けられた凸状部１４ｅにより接片台１４の電気基板１３に対する傾きが規制され、平行状態が保持されることからチャタリング、接触不良の発生が極めて少なく、操作性も向上し、しかも、装置の構造自体も複雑化しない。
【００３２】
次に、本発明の第２の実施形態の回転接点装置について図３，４を用いて説明する。
図３は、本実施形態の回転接点装置の縦断面図である。図４は、この回転接点装置に適用される接片台の斜視図である。
【００３３】
本実施形態の回転接点装置２は、第１の実施形態の回転接点装置１に対して接片台に設けられる凸状部の突出方向が異なるものであり、その他の構成は、第１の実施形態のものと同様である。したがって、同一の構成部材に対しては、同一の符号を付し、以下、異なる部分について説明する。
【００３４】
本実施形態の回転接点装置２においては、図３，４に示すように電気接片１５が固着される接片台２４には、接片台１４と同様に軸部２４ａと、軸部上方突出部にすり割２４ｃと軸部下方部にすり割り付き段部２４ｂとが設けられ、さらに、回転ダイヤル１６の回転支持部材（軸支部１１ａ）である外装カバー１１側に延びる平行保持手段としての３つの凸状部２４ｅ（図上では、２つのみ表示されている）が設けられる。この接片台２４も電気接片１５が固着された状態で軸部のすり割付き段部２４ｂを電気基板１３の軸穴１３ａに嵌入させて回転自在に取り付けられる。
【００３５】
凸状部２４ｅは、接片台２４の上方に突出して設けられ、接片台２４の組み込み状態では、外装カバー１１の内面に対してその凸状部先端が所定の僅かな隙間を有する。その所定の隙間は、外装カバー１１と基板台１２，接片台２４の組み立て寸法がばらついたとき、詰まった状態にならないような隙間とする。
【００３６】
本実施形態の回転接点装置２においても外装カバー１１の軸支持部１１ａと基板台１２に固定される電気基板１３の軸支穴１３ａとに僅かな位置ずれがある場合やブラシ接触圧によるモーメントの偏り（ブラシ１５ｂ，１５ｃの軸部１４ａとの離間距離の差による）がある場合等で接片台２４を傾けるような力が作用したとしても、凸状部２４ｅの先端部が外装カバー１１の内面１１ｃに当接することから接片台２４は、電気基板１３に対して凸状部２４ｅの上記隙間分だけ僅かに傾斜するだけで略平行な状態を維持することができる。従って、電気接片１５の各ブラシ１５ｂ，１５ｃの電気基板１３への良好な接触状態が得られる。
【００３７】
本実施形態の回転接点装置２によれば、第１の実施形態の回転接点装置と同様にチャタリング、接触不良の発生が極めて少なく、かつ、操作性も向上させることができ、特に、接片台２４の凸状部２４ｅをブラシ側に設けないことから、電気基板１３のパターン配置等に影響を与えない。
【００３８】
次に、本発明の第３の実施形態の回転接点装置について図５を用いて説明する。
図５は、本実施形態の回転接点装置の縦断面図である。
【００３９】
本実施形態の回転接点装置３は、第１，２の実施形態の回転接点装置１，２のように接片台に凸状部を設けず、外装カバーの内面に凸状部を設けるものであり、その他の構成は、第１の実施形態のものと同様である。したがって、同一の構成部材に対しては、同一の符号を付し、以下、異なる部分について説明する。
【００４０】
本実施形態の回転接点装置３においては、図５に示すように回転ダイヤルを支持する軸支部３１ａを有する回転支持部材としての外装カバー３１の内面下方に接片台３４に向けて延びる平行保持手段としての３つの凸状部３１ｅ（図上、２つのみを表示する）が設けられる。
【００４１】
また、電気接片１５が固着される接片台３４には、接片台１４と同様に軸部３４ａと、軸部上方突出部にすり割３４ｃと軸部下方部にすり割り付き段部３４ｂとが設けられるが、凸状部は設けられていない。この接片台３４も電気接片１５が固着された状態で軸部のすり割付き段部３４ｂを電気基板１３の軸穴１３ａに嵌入させて回転自在に取り付けられる。
【００４２】
外装コンバータ３１の凸状部３１ｅは、外装カバー３１から下方に突出し、組み付け時、接片台３４の上面に対してその凸状部先端が所定の僅かな隙間のある状態で設けられる。その所定の隙間は、外装カバー３１と基板台１２，接片台３４の組み立て寸法のばらつきで詰まった状態にならないような隙間とする。
【００４３】
本実施形態の回転接点装置３においても外装カバー３１の軸支持部３１ａと基板台１２に固定される電気基板１３の軸支穴１３ａとに僅かな位置ずれがある場合やブラシ接触圧によるモーメントの偏り（ブラシ１５ｂ，１５ｃの軸部１４ａとの離間距離の差による）がある場合等にて、接片台３４を傾けるような力が作用したとしても、凸状部３１ｅの先端部が接片台３４の上面に当接することから接片台３４は、電気基板１３に対して凸状部３１ｅの上記隙間分だけ僅かに傾斜するだけで略平行な状態を維持することできる。
【００４４】
本実施形態の回転接点装置２によれば、第１の実施形態の装置と同様にチャタリング、接触不良の発生が極めて少なく、かつ、操作性も向上させることができ、特に、接片台３４に凸状部を設けないことから、電気基板１３のパターン配置等に影響を与えない。
【００４５】
【発明の効果】
上述のように本発明によれば、構成が簡単であり、かつ、確実な接点部の接触が得られ、さらに、操作性も良好である回転接点装置を提供することができる。
【図面の簡単な説明】
【図１】本発明の第１の実施形態としての回転接点装置の分解斜視図である。
【図２】図１の回転接点装置の縦断面図である。
【図３】本発明の第２の実施形態としての回転接点装置の縦断面図である。
【図４】図３の回転接点装置に適用される接片台の斜視図である。
【図５】本発明の第３の実施形態としての回転接点装置の縦断面図である。
【図６】従来の回転接点装置の分解斜視図である。
【図７】図６の従来の回転接点装置の縦断面図である。
【符号の説明】
１１，３１
…外装カバー（回転支持部材）
１１ａ…軸支部（回転支持部材）
１３…電気基板
１３ｂ…接点パターン（パターン）
１３ｃ…コモンパターン（パターン）
１４，２４，３４
…接片台
１４ｅ，２４ｅ，３１ｅ
…凸状部（平行保持手段）
１５  …電気接片
１５ｂ…接点ブラシ（接点部）
１５ｃ…コモンブラシ（接点部）
１６  …回転ダイヤル
１６ａ…結合軸
【図１】
2004311072.tif 000003
【図２】
2004311072.tif 000004
【図３】
2004311072.tif 000005
【図４】
2004311072.tif 000006
【図５】
2004311072.tif 000007
【図６】
2004311072.tif 000008
【図７】
2004311072.tif 000009